【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
可変翼平面形を有する棚を備える可変翼平面形棚材料システムであって、
前記棚は、
楕円形の一端の少なくとも一部分に対応する翼平面形形状を有し、可変支持構築基盤の第１の部分を提供する第１のフレームと、
楕円形の一端の少なくとも一部分に対応する翼平面形形状を有し、前記可変支持構築基盤の第２の部分を提供する第２のフレームと、
楕円形の翼平面形形状を有し、前記可変支持構築基盤の第３の部分を提供する第３のフレームであって、前記第３のフレームは、前記第１のフレームと第２のフレームとの間に配置され、前記第３のフレームは、前記第３のフレームと前記第１のフレームおよび第２のフレームのそれぞれとの間の相対的位置付けが、前記可変支持構築基盤の翼平面形を変動させるように可変であるように、前記第１のフレームおよび前記第２のフレームに結合されている、第３のフレームと
を備え、
前記第３のフレームは、前記第１のフレームと摺動可能に結合されること、前記第１のフレームと枢動可能に結合されること、前記第２のフレームと摺動可能に結合されること、および前記第２のフレームと枢動可能に結合されることのうちの少なくとも１つであるように構成可能である、可変翼平面形棚材料システム。
【請求項２】
前記第１のフレームおよび第２のフレームのうちの少なくとも１つは、前記フレームと前記第３のフレームを結合するために、前記フレームと結合された結合ピンを備え、
前記第１のフレームおよび第２のフレームのうちの少なくとも１つはさらに、前記フレーム内に、前記第３のフレームの一部分を受容するスロットを備え、前記フレームと結合された前記結合ピンは、フレームスロットを横断し、前記第３のフレーム内の開口部を通して延在する、請求項１に記載の可変翼平面形棚材料システム。
【請求項３】
前記第１のフレームおよび第２のフレームのうちの少なくとも１つは、前記フレームと前記第３のフレームを結合するために、前記フレームと結合された結合ピンを備え、
前記第３のフレームは、１つまたは２つの成形された開口を備え、各成形された開口は、ある長さおよび可変幅を有し、前記開口の長さに沿った軸方向移動および前記可変幅内の側方移動のために、前記第１のフレームまたは前記第２のフレームの前記結合ピンを受容するために構成可能である、請求項１に記載の可変翼平面形棚材料システム。
【請求項４】
前記第３のフレームは、１つまたは２つの遠位孔を含み、各遠位孔は、前記遠位孔を中心とした前記フレームの枢動移動のために、前記第１のフレームまたは前記第２のフレームの前記結合ピンを受容するように構成され、
前記第３のフレームは、第１の構成において、前記第１のフレームおよび前記第２のフレームのうちの１つと摺動可能に結合されるように構成され、第２の構成において、前記第１のフレームおよび前記第２のフレームのうちの１つと枢動可能に結合されるように構成され、前記第１のフレームおよび前記第２のフレームのうちの１つの前記結合ピンは、前記第３のフレームを前記第１の構成から前記第２の構成に変化させるように除去および交換され得る、請求項３に記載の可変翼平面形棚材料システム。
【請求項５】
前記第１のフレームおよび前記第２のフレームのうちの１つの前記結合ピンのうちの少なくとも１つは、前記第１のフレームおよび前記第２のフレームのうちの１つを前記第３のフレームに咬持し、前記第３のフレームに対して、前記第１のフレームおよび前記第２のフレームのうちの１つの移動を阻害するように構成可能である、請求項１に記載の可変翼平面形棚材料システム。
【請求項６】
前記第３のフレームは、
楕円形の形状の基部プレートと、
前記基部プレートに継合され、スペーサおよび前記基部プレートの共通特徴が整合されるように前記基部プレートと整合される、スペーサであって、前記スペーサは、前記第１のフレームの上部表面および前記第２のフレームの上部表面と同一平面にある上側表面を前記第３のフレームに提供する、スペーサと
を備える、請求項１に記載の可変翼平面形棚材料システム。
【請求項７】
第１の棚の上方に高架された第２の棚をさらに備え、各棚は、
楕円形の一端の翼平面形形状を有し、可変支持構築基盤の第１の部分を提供する第１のフレームと、
楕円形の一端の翼平面形形状を有し、前記可変支持構築基盤の第２の部分を提供する第２のフレームと、
楕円形の翼平面形形状を有し、前記可変支持構築基盤の第３の部分を提供する第３のフレームであって、前記第３のフレームは、前記第１のフレームと第２のフレームとの間に配置され、前記第３のフレームと前記第１のフレームおよび第２のフレームのそれぞれとの間の相対的位置付けは、前記可変支持構築基盤の翼平面形を変動させるように可変である、第３のフレームと、
前記第１の棚および第２の棚の前記第１のフレームを支持する少なくとも１つの第１の支持柱と、
前記第１の棚および第２の棚の前記第２のフレームを支持する少なくとも１つの第２の支持柱と
をさらに備える、請求項１に記載の可変翼平面形棚材料システム。
【請求項８】
前記第２の棚の下面はさらに、少なくとも１つの光源を備える、請求項７に記載の可変翼平面形棚材料システム。
【請求項９】
複数の裏材パネルをさらに備え、各パネルは、前記支持柱のうちの１つに取着し、前記裏材パネルの別のものと重複するように構成され、前記裏材パネルの別のものは、前記支持柱間の空間が、前記重複するパネルによって被覆されるように、前記支持柱の別のものに取着され、前記パネルに隣接して位置する、請求項７に記載の可変翼平面形棚材料システム。
【請求項１０】
隣接する支持柱間の調節可能裏材としての可動スラットをさらに備え、前記可動スラットは、
複数の第１の連結金具であって、前記複数の第１の連結金具のそれぞれは、前記連結金具の高さを通した垂直開口部を備え、前記開口部は、少なくとも１つの長いピン部材を受容し、前記連結金具と他の連結金具を整合させるように構成され、前記複数の第１の連結金具は、垂直に整合された第１の連結金具の列内に整合される、複数の第１の連結金具と、
複数の第２の連結金具であって、前記複数の第２の連結金具のそれぞれは、前記連結金具の高さを通した少なくとも１つの垂直開口部を備え、各開口部は、少なくとも１つの長いピン部材を受容し、前記連結金具と他の連結金具とを整合させるように構成され、前記複数の第２の連結金具は、垂直に整合された第２の連結金具の列内に整合され、第２の連結金具の各列は、第１の連結金具の列および第２の連結金具の列が、交互パターンに配置されるように、第１の連結金具の隣接する列間に配置される、複数の第２の連結金具と、
複数の長いピン部材であって、各ピンは、第１の連結金具列が、共通ピンによって、前記隣接する第２の連結金具列に継合されるように、第１の連結金具列内の少なくともいくつかの第１の連結金具を通って通過し、かつ隣接する第２の連結金具列内の少なくともいくつかの第２の連結金具を通して通過する、複数の長いピン部材と
を備える、請求項７に記載の可変翼平面形棚材料システム。
【請求項１１】
少なくとも１つの可変翼平面形棚を備える基部をさらに備え、各棚は、
楕円形の一端の翼平面形形状を有し、可変支持構築基盤の第１の部分を提供する第１のフレームと、
楕円形の一端の翼平面形形状を有し、前記可変支持構築基盤の第２の部分を提供する第２のフレームと、
楕円形の翼平面形形状を有し、前記可変支持構築基盤の第３の部分を提供する第３のフレームであって、前記第３のフレームは、前記第１のフレームと第２のフレームとの間に配置され、前記第３のフレームと前記第１のフレームおよび第２のフレームのそれぞれとの間の相対的位置付けは、前記可変支持構築基盤の翼平面形を変動させるように可変である、第３のフレームと、
前記少なくとも１つの可変翼平面形棚の前記第１のフレームによって支持される少なく
とも１つの第１の支持柱と、
前記少なくとも１つの可変翼平面形棚の前記第２のフレームによって支持される少なく
とも１つの第２の支持柱と、
衣服を吊るすことができる上部ラックであって、前記上部ラックは、少なくとも前記第１の支持柱および第２の支持柱によって支持され、前記上部ラックは、ともに前記上部ラックの形状を形成する複数の成形された交換可能部材を備え、前記成形された交換可能部材の少なくともいくつかは、他の成形された交換可能部材と交換され、前記上部ラックの形状を変動させ得る、上部ラックと
を備える、請求項１に記載の可変翼平面形棚材料システム。
【請求項１２】
可変支持構築基盤を有する可変翼平面形棚と併用するための支持表面アセンブリをさらに備え、前記支持表面アセンブリは、前記支持表面が、前記可変支持構築基盤の翼平面形の変動に応答して変動するように、複数の相互接続された垂直に配向された可撓性パネルを備え、前記支持表面アセンブリは、前記可変支持構築基盤によって支持され、前記可変翼平面形棚によって支持されたアイテムのための支持表面を提供する、請求項１に記載の可変翼平面形棚材料システム。
【請求項１３】
前記複数の相互接続された垂直に配向された可撓性パネルは、相互に断続的に接合され、正弦波パターンを提供する、請求項１２に記載の支持表面を伴う可変翼平面形棚材料システム。
【請求項１４】
可変支持構築基盤を有する可変翼平面形棚と併用するための支持表面アセンブリをさらに備え、前記支持表面アセンブリは、複数の結合された水平に配向されたパネルを備え、前記水平に配向されたパネルのそれぞれは、前記提供された支持表面が前記可変支持構築基盤の翼平面形の変動に応答して変動するように、前記水平に配向されたパネルの隣接するパネルを結合する接続ピンを受容する１つ以上のスロットを有し、前記支持表面アセンブリは、前記可変支持構築基盤によって支持され、前記可変翼平面形棚によって支持されたアイテムのための支持表面を提供する、請求項１に記載の可変翼平面形棚材料システム。
【請求項１５】
可変翼平面形棚において使用するための構成要素をさらに備え、前記構成要素は、狭入パネルとして構築され、前記狭入パネルは、
上部金属層と、
底部金属層と、
前記上部金属層と前記底部金属層との間に狭入された中央層であって、前記中央層は、複数の相互接続された垂直に配向された平行可撓性パネルを備える、中央層と
を備える、請求項１に記載の可変翼平面形棚材料システム。
【請求項１６】
前記第３のフレームの前記楕円形は、最小直径から前記最小直径よりも大きい最大直径まで連続的に湾曲している周縁を有する、請求項１に記載の可変翼平面形棚材料システム。
【請求項１７】
前記第３のフレームは、（ｉ）前記第１のフレームと摺動可能に結合されるように、（ｉｉ）前記第１のフレームと枢動可能に結合されるように、（ｉｉｉ）前記第２のフレームと摺動可能に結合されるように、（ｉｖ）前記第２のフレームと枢動可能に結合されるように、および（ｖ）これらの組み合わせであるように構成可能である、請求項１に記載の可変翼平面形棚材料システム。
【手続補正２】
【補正対象書類名】明細書
【補正対象項目名】００１９
【補正方法】変更
【補正の内容】
【００１９】
本発明の性質および利点のより完全な理解のために、以下の発明を実施するための形態
および付随の図面を参照されたい。本発明の他の側面、目的、および利点は、図面および
以下の発明を実施するための形態から明白となるであろう。
本明細書は、例えば、以下を提供する。
（項目１）
可変翼平面形を有する棚を備える可変翼平面形棚材料システムであって、
上記棚は、２つ以上のフレームを備え、各フレームは、可変支持構築基盤の一部を提供
し、各フレームは、別のフレームと相互作用するために構成された少なくとも１つの相互
作用端を備え、少なくとも１つのフレームは、結合された隣接するフレームが、相互に対
して移動し、上記棚の翼平面形を調節することができるように、相互作用端の近傍の隣接
するフレームと結合される、可変翼平面形棚材料システム。
（項目２）
上記棚内の上記相互作用端のうちの少なくとも１つの側縁は、上記結合された隣接する
フレームが、相互に整合されないとき、上記結合された隣接するフレームの隣接する側縁
に沿って、平滑遷移が形成されるように、輪郭形成される、項目１に記載の可変翼平面
形棚材料システム。
（項目３）
上記棚内の上記輪郭形成された相互作用端のうちの少なくとも１つの側縁は、湾曲であ
る、項目２に記載の可変翼平面形棚材料システム。
（項目４）
少なくとも１つの湾曲相互作用端は、丸形である、項目３に記載の可変翼平面形棚材
料システム。
（項目５）
少なくとも１つの丸形の相互作用端は、少なくとも部分的楕円形の湾曲周縁に対応する
形状を有する、項目４に記載の可変翼平面形棚材料システム。
（項目６）
上記棚は、
可変支持構築基盤の第１の部分を提供し、部分的楕円形の湾曲周縁を伴う相互作用端を
含む翼平面形形状を有する、第１のフレームと、
上記可変支持構築基盤の第２の部分を提供し、部分的楕円形の湾曲周縁を伴う相互作用
端を含む翼平面形形状を有する、第２のフレームであって、上記第１のフレームは、上記
第１のフレームと上記第２のフレームとの間の相対的位置付けが、上記可変支持構築基盤
の翼平面形を変動させるよう可変であるように、上記第２のフレームと結合される、第２
のフレームと
を備える、項目５に記載の可変翼平面形棚材料システム。
（項目７）
上記棚は、
楕円形の一端の翼平面形形状を有し、可変支持構築基盤の第１の部分を提供する第１の
フレームと、
楕円形の一端の翼平面形形状を有し、上記可変支持構築基盤の第２の部分を提供する第
２のフレームと、
楕円形の翼平面形形状を有し、上記可変支持構築基盤の第３の部分を提供する第３のフ
レームであって、上記第３のフレームは、上記第１と第２のフレームとの間に配置され、
上記第３のフレームと上記第１および第２のフレームのそれぞれとの間の相対的位置付け
は、上記可変支持構築基盤の翼平面形を変動させるように可変である、第３のフレームと
をさらに備える、項目５に記載の可変翼平面形棚材料システム。
（項目８）
上記第３のフレームは、上記第１のフレームと摺動可能に結合されること、上記第１の
フレームと枢動可能に結合されること、上記第２のフレームと摺動可能に結合されること
、および上記第２のフレームと枢動可能に結合されることのうちの少なくとも１つである
ように構成可能である、項目７に記載の可変翼平面形棚材料システム。
（項目９）
上記第１および第２のフレームのうちの少なくとも１つは、上記フレームと上記第３の
フレームを結合するために、上記フレームと結合された結合ピンを備える、項目８に記
載の可変翼平面形棚材料システム。
（項目１０）
上記第１および第２のフレームのうちの少なくとも１つはさらに、上記フレーム内に、
上記第３のフレームの一部を受容するスロットを備え、上記フレームと結合された上記結
合ピンは、上記フレームスロットを横断し、上記第３のフレーム内の開口部を通して延在
する、項目９に記載の可変翼平面形棚材料システム。
（項目１１）
上記第３のフレームは、１つまたは２つの成形された開口を備え、各成形された開口は
、ある長さおよび可変幅を有し、上記開口の長さに沿った軸方向移動および上記可変幅内
の側方移動のために、上記第１のフレームまたは上記第２のフレームの上記結合ピンを受
容するために構成可能である、項目９に記載の可変翼平面形棚材料システム。
（項目１２）
少なくとも１つの成形された開口は、上記開口の辺に沿った上記ピンの平滑移動を提供
するように、少なくとも１つの弧状辺を含む、項目１１に記載の可変翼平面形棚材料シ
ステム。
（項目１３）
上記第３のフレームは、１つまたは２つの遠位孔を含み、各遠位孔は、上記遠位孔を中
心とした上記フレームの枢動移動のために、上記第１のフレームまたは上記第２のフレー
ムの上記結合ピンを受容するように構成される、項目９に記載の可変翼平面形棚材料シ
ステム。
（項目１４）
上記第３のフレームは、第１の構成において、上記第１のフレームおよび上記第２のフ
レームのうちの１つと摺動可能に結合されるように構成され、第２の構成において、上記
第１のフレームおよび上記第２のフレームのうちの１つと枢動可能に結合されるように構
成され、上記第１のフレームおよび上記第２のフレームのうちの１つの上記結合ピンは、
上記第３のフレームを上記第１の構成から上記第２の構成に変化させるように除去および
交換され得る、項目９に記載の可変翼平面形棚材料システム。
（項目１５）
上記第１のフレームおよび上記第２のフレームのうちの１つの上記結合ピンのうちの少
なくとも１つは、上記第１のフレームおよび上記第２のフレームのうちの１つを上記第３
のフレームに咬持し、上記第３のフレームに対して、上記第１のフレームおよび上記第２
のフレームのうちの１つの移動を阻害するように構成可能である、項目９に記載の可変
翼平面形棚材料システム。
（項目１６）
上記第１のフレームまたは上記第２のフレームは、
楕円形の一端の翼平面形形状を有する上部プレートと、
楕円形の一端の翼平面形形状を有する底部プレートであって、上記底部プレートは、前
記底部プレートの外側周縁が上記上部プレートの外側周縁と整合されるように、上記上部
プレートに対して整合される、底部プレートと、
スペーサであって、上記スペーサは、上記上部プレートと上記底部プレートとの間に配
置され、上記上部プレートおよび上記底部プレートのそれぞれに継合され、上記上部プレ
ートと上記底部プレートとの間の空間は、上記第３のフレームを受容するためのスロット
を画定する、スペーサと
を備える、項目１０に記載の可変翼平面形棚材料システム。
（項目１７）
上記第３のフレームは、
楕円形の形状の基部プレートと、
上記基部プレートに継合され、上記スペーサおよび上記基部プレートの共通特徴が整合
されるように上記基部プレートと整合される、スペーサであって、上記スペーサは、上記
第１のフレームの上部表面および上記第２のフレームの上部表面と同一平面にある上側表
面を上記第３のフレームに提供する、スペーサと
を備える、項目７に記載の可変翼平面形棚材料システム。
（項目１８）
上記棚は、支持表面アセンブリをさらに備え、
上記支持表面アセンブリは、
複数のスロット付きパネルであって、上記複数のスロット付きパネルのそれぞれは、湾
曲スロットを有し、上記複数のスロット付きパネルのそれぞがは隣接するパネルに重複す
るように配列され、上記スロット付きパネルのそれぞれは、上記可変翼平面形棚が湾曲翼
平面形構成と成るように構成されると、上記支持表面アセンブリの平滑の組み合わせられ
た縁を呈するように構成される、若干湾曲した外側縁を伴う長方形翼平面形を有し、上記
複数のスロット付きパネル内の上記スロットのそれぞれは、隣接するパネルの隣接するス
ロットに重複するように成形される、スロット付きパネルと、
複数の結合要素であって、上記複数の結合要素は、上記スロットの重複する場所のそれ
ぞれにおいて結合要素が相互に対して上記隣接するパネルを拘束するように配置されるよ
うに配置される、複数の結合要素と
を備える、項目７に記載の可変翼平面形棚材料システム。
（項目１９）
上記複数のスロット付きパネルのうちの少なくともいくつかは、上記可変支持構築基盤
の下層フレームに取着される、項目１８に記載の可変翼平面形棚材料システム。
（項目２０）
上記第１のフレーム、上記第２のフレーム、および上記第３のフレームのうちの少なく
とも１つはさらに、１つ以上の支持表面アセンブリ、１つ以上の支持支柱、１つ以上の蹴
板、１つ以上の価格表示、１つ以上のハンガーフック、１つ以上の高さ調節可能脚部、お
よび１つ以上の付加的可変翼平面形構築基盤フレームのうちの少なくとも１つの取着のた
めの特徴を備える、項目７に記載の可変翼平面形棚材料システム。
（項目２１）
上記第１の棚の上方に高架された第２の棚をさらに備え、各棚は、
楕円形の一端の翼平面形形状を有し、可変支持構築基盤の第１の部分を提供する第１の
フレームと、
楕円形の一端の翼平面形形状を有し、上記可変支持構築基盤の第２の部分を提供する第
２のフレームと、
楕円形の翼平面形形状を有し、上記可変支持構築基盤の第３の部分を提供する第３のフ
レームであって、上記第３のフレームは、上記第１と第２のフレームとの間に配置され、
上記第３のフレームと上記第１および第２のフレームのそれぞれとの間の相対的位置付け
は、上記可変支持構築基盤の翼平面形を変動させるように可変である、第３のフレームと
、
上記第１および第２の棚の上記第１のフレームを支持する少なくとも１つの第１の支持
柱と、
上記第１および第２の棚の上記第２のフレームを支持する少なくとも１つの第２の支持
柱と
をさらに備える、項目５に記載の可変翼平面形棚材料システム。
（項目２２）
上記第２の棚の下面はさらに、少なくとも１つの光源を備える、項目２１に記載の可
変翼平面形棚材料システム。
（項目２３）
少なくとも１つの光源は、少なくとも１つの発光ダイオード細片を備える、項目２２
に記載の可変翼平面形棚材料システム。
（項目２４）
上記第２の棚のフレームのうちの１つはさらに、上記下面に、上記少なくとも１つの光
源を受容するために、機械加工された陥凹を備える、項目２２に記載の可変翼平面形棚
材料システム。
（項目２５）
上記少なくとも１つの光源は、旋回式光源を備え、上記第２の棚のフレームのうちの１
つはさらに、上記下面に、上記旋回式光源のための搭載部を備える、項目２２に記載の
可変翼平面形棚材料システム。
（項目２６）
複数の裏材パネルをさらに備え、各パネルは、上記支持柱のうちの１つに取着し、上記
裏材パネルの別のものと重複するように構成され、上記裏材パネルの別のものは、上記支
持柱間の空間が、上記重複するパネルによって被覆されるように、上記支持柱の別のもの
に取着され、上記パネルに隣接して位置する、項目２１に記載の可変翼平面形棚材料シ
ステム。
（項目２７）
長い磁石細片をさらに備え、上記長い磁石細片は、
第１の配向された磁気極性を有する第１の長さの磁気材料と、
第２の配向された磁気極性を有する第２の長さの磁気材料と、
上記第１の長さと上記第２の長さとの間のヒンジであって、上記第１の配向された磁気
極性および上記第２の配向された磁気極性は、上記第１の長さの磁気材料が、一対の重複
する裏材パネルの裏面側に沿って設置され、上記長い磁石細片が、上記第２の長さが、前
記対の重複する裏材パネルの正面側に沿って延在するように、上記ヒンジにおいて屈曲さ
れると、上記第１の配向された磁気極性および上記第２の配向された磁気極性が、整合し
、相互に対して上記対の裏材パネルの移動に抵抗する力を生成するように構成される、ヒ
ンジと
を備える、項目２６に記載の可変翼平面形棚材料システム。
（項目２８）
隣接する支持柱間の調節可能裏材としての可動スラットをさらに備え、上記可動スラッ
トは、
複数のスロット連結金具であって、上記複数のスロット連結金具のそれぞれは、上記ス
ロット連結金具の高さを通して垂直スロットを備え、上記スロットは、上記スロットの長
さに沿った少なくとも１つの長いピン部材の少なくとも水平摺動のために、少なくとも１
つの長いピン部材を受容するように構成される、複数のスロット連結金具と、
複数の中実連結金具であって、上記複数の中実連結金具のそれぞれは、上記連結金具の
本体の２つの端部のそれぞれに、貫通孔を備え、各貫通孔は、１つの長いピン部材を受容
するように構成される、複数の中実連結金具と、
複数の長いピン部材であって、上記複数のスロット連結金具および上記複数の中実連結
金具は、上記複数の長いピン部材内の各長いピン部材が、中実連結金具およびスロット連
結金具を通して交互に垂直に通過し、上記可動スラット内に継合部を形成するように、交
互積層パターンに配置される、複数の長いピン部材と
を備える、項目２１に記載の可変翼平面形棚材料システム。
（項目２９）
隣接する支持柱間の調節可能裏材としての可動スラットをさらに備え、上記可動スラッ
トは、
複数の第１の連結金具であって、上記複数の第１の連結金具のそれぞれは、上記連結金
具の高さを通した垂直開口部を備え、上記開口部は、少なくとも１つの長いピン部材を受
容し、上記連結金具と他の連結金具を整合させるように構成され、上記複数の第１の連結
金具は、垂直に整合された第１の連結金具の列内に整合される、複数の第１の連結金具と
、
複数の第２の連結金具であって、上記複数の第２の連結金具のそれぞれは、上記連結金
具の高さを通した少なくとも１つの垂直開口部を備え、各開口部は、少なくとも１つの長
いピン部材を受容し、上記連結金具と他の連結金具とを整合させるように構成され、上記
複数の第２の連結金具は、垂直に整合された第２の連結金具の列内に整合され、第２の連
結金具の各柱は、第１の連結金具の列および第２の連結金具の列が、交互パターンに配置
されるように、第１の連結金具の隣接する柱間に配置される、複数の第２の連結金具と、
複数の長いピン部材であって、各ピンは、上記第１の連結金具柱が、共通ピンによって
、上記隣接する第２の連結金具柱に継合されるように、第１の連結金具柱内の少なくとも
いくつかの第１の連結金具を通って通過し、かつ隣接する第２の連結金具柱内の少なくと
もいくつかの第２の連結金具を通して通過する、複数の長いピン部材と
を備える、項目２１に記載の可変翼平面形棚材料システム。
（項目３０）
上記可動スラット内の第１の連結金具の列のうちの少なくとも１つにおいて、上記柱内
の上記第１の連結金具は、間隙が、少なくともいくつかの垂直に連続する第１の連結金具
間に存在するように配置され、少なくとも１つの間隙のサイズは、垂直に連続する第１の
連結金具間に配置された少なくとも１つの第２の連結金具の高さによって決定され、上記
第２の連結金具は、隣接する第２の連結金具柱の一部である、項目２９に記載の可変翼
平面形棚材料システム。
（項目３１）
少なくとも１つの可変翼平面形棚を備える基部をさらに備え、各棚は、
楕円形の一端の翼平面形形状を有し、可変支持構築基盤の第１の部分を提供する第１の
フレームと、
楕円形の一端の翼平面形形状を有し、上記可変支持構築基盤の第２の部分を提供する第
２のフレームと、
楕円形の翼平面形形状を有し、上記可変支持構築基盤の第３の部分を提供する第３のフ
レームであって、上記第３のフレームは、上記第１と第２のフレームとの間に配置され、
上記第３のフレームと上記第１および第２のフレームのそれぞれとの間の相対的位置付け
は、上記可変支持構築基盤の翼平面形を変動させるように可変である、第３のフレームと
、
上記少なくとも１つの可変翼平面形棚の上記第１のフレームによって支持される少なく
とも１つの第１の支持柱と、
上記少なくとも１つの可変翼平面形棚の上記第２のフレームによって支持される少なく
とも１つの第２の支持柱と、
衣服を吊るすことができる上部梁であって、上記上部梁は、少なくとも上記第１および
第２の支持柱によって支持される、上部梁と
を備える、項目５に記載の可変翼平面形棚材料システム。
（項目３２）
上記上部梁は、延在可能であり、上記支持柱の少なくとも２つの上部間に張力で保持さ
れた少なくとも１つの可撓性ストラップ部材を備える、項目３１に記載の可変翼平面形
棚材料システム。
（項目３３）
上記上部ラックは、ともに上記上部ラックの形状を形成する複数の成形された交換可能
部材を備え、上記成形された交換可能部材の少なくともいくつかは、他の成形された交換
可能部材と交換され、上記上部ラックの形状を変動させ得る、項目３１に記載の可変翼
平面形棚材料システム。
（項目３４）
上記少なくとも１つの可変翼平面形棚の上記第３のフレームによって支持され、上記上
部ラックを支持するために構成された第３の支持柱をさらに備える、項目３３に記載の
可変翼平面形棚材料システム。
（項目３５）
上記第３の支持柱は、上記成形された交換可能部材の共通断面に一致するように構成さ
れる、上記第３の支持柱の上部端に位置する搭載部と、金属の成形された交換可能部材を
上記第３の支持柱に固着させるために構成された磁石とのうちの少なくとも１つを備える
、項目３４に記載の可変翼平面形棚材料システム。
（項目３６）
上記第３の支持柱は、上記第３の支持柱の基部に、上記第３の支持柱を上記第３のフレ
ームに取着するために上記第３のフレーム内のスロットによって受容される、少なくとも
１つの突起を備える、項目３４に記載の可変翼平面形棚材料システム。
（項目３７）
上記第３の支持柱は、上記第３の支持柱の高さ調節のための伸縮自在本体を備える、請
求項３４に記載の可変翼平面形棚材料システム。
（項目３８）
可変支持構築基盤を有する可変翼平面形棚と併用するための支持表面アセンブリをさら
に備え、上記支持表面アセンブリは、上記支持表面が、上記可変支持構築基盤の翼平面形
の変動に応答して変動するように、複数の相互接続された垂直に配向された可撓性パネル
を備え、上記支持表面アセンブリは、上記可変支持構築基盤によって支持され、上記可変
翼平面形棚によって支持されたアイテムのための支持表面を提供する、項目１に記載の
可変翼平面形棚材料システム。
（項目３９）
上記支持表面アセンブリは、上記垂直に配向されたパネルの垂直方向に垂直な縦方向に
拡張されることができ、上記縦方向に直角の横方向に、上記支持表面アセンブリにいかな
る実質的収縮も伴わない、項目３８に記載の支持表面を伴う可変翼平面形棚材料システ
ム。
（項目４０）
上記複数の相互接続された垂直に配向された可撓性パネルは、相互に断続的に接合され
、正弦波パターンを提供する、項目３８に記載の支持表面を伴う可変翼平面形棚材料シ
ステム。
（項目４１）
上記断続接合は、規則的間隔である、項目４０に記載の支持表面を伴う可変翼平面形
棚材料システム。
（項目４２）
上記規則的間隔は、３．８センチメートル（１．５インチ）である、項目４１に記載
の支持表面を伴う可変翼平面形棚材料システム。
（項目４３）
上記可変支持構築基盤は、接合された面積間の場所における、隣接する垂直に配向され
た可撓性部材間の距離が、上記支持表面アセンブリが拡張されると、上記支持表面アセン
ブリが、上記支持表面アセンブリの拡張方向に横断するほど実質的程度まで収縮しないこ
とを確実にするために好適な距離を下回って維持されることができるように、好適な数の
相互接続された垂直に配向された可撓性部材を備える、項目４０に記載の支持表面を伴
う可変翼平面形棚材料システム。
（項目４４）
上記複数の相互接続された垂直に配向された可撓性パネルは、ポリカーボネート細片、
アクリル細片、およびアクリル耐摩耗細片のうちの少なくとも１つを備える、項目３８
に記載の支持表面を伴う可変翼平面形棚材料システム。
（項目４５）
上記支持表面は、金型上で加工される、項目３８に記載の支持表面を伴う可変翼平面
形棚材料システム。
（項目４６）
上記支持表面アセンブリはさらに、上記支持表面の正面表面に添着され、上記支持表面
の上部に対してある角度で配置される、正面プレートアセンブリを備え、上記正面プレー
トアセンブリは、複数の相互接続された垂直に配向された可撓性パネルを備える、項目
３８に記載の支持表面を伴う可変翼平面形棚材料システム。
（項目４７）
上記角度は、約９０oである、項目４６に記載の支持表面を伴う可変翼平面形棚材料
システム。
（項目４８）
上記正面プレートアセンブリはさらに、
上記正面プレートアセンブリが上記支持アセンブリに対して配置される角度で配置され
た段切部分と、
上記支持表面の上部に略垂直に配置された垂直部分と
を備える、項目４６に記載の支持表面を伴う可変翼平面形棚材料システム。
（項目４９）
上記角度は、約４５oである、項目４８に記載の支持表面を伴う可変翼平面形棚材料
システム。
（項目５０）
可変翼平面形棚において使用するための構成要素をさらに備え、上記構成要素は、狭入
パネルとして構築され、上記狭入パネルは、
上部金属層と、
底部金属層と、
上記上部金属層と上記底部金属層との間に狭入された中央層であって、上記中央層は、
複数の相互接続された垂直に配向された平行可撓性パネルを備える、中央層と
を備える、項目１に記載の可変翼平面形棚材料システム。
（項目５１）
項目５０に記載の狭入パネル棚構成要素を伴う可変翼平面形棚材料システムであって
、上記複数の相互接続された垂直に配向された可撓性パネルは、相互に断続的に接合され
、正弦波パターンを提供する、システム。
（項目５２）
可変翼平面形を有する棚であって、上記棚は、
可変支持構築基盤の第１の部分を提供する第１のフレームと、
上記可変支持構築基盤の第２の部分を提供する第２のフレームであって、上記第１およ
び第２のフレームの相対的位置付けは、上記可変支持構築基盤の翼平面形を変動させるよ
うに可変である、第２のフレームと、
上記可変支持構築基盤によって支持され、上記棚によって支持されたアイテムのための
支持表面を提供する支持表面アセンブリであって、上記支持表面アセンブリは、上記提供
された支持表面が上記可変支持構築基盤の翼平面形の変動に応答して変動するように、可
撓性であること、または複数の連結されたパネルから成ることのうちの少なくとも１つで
ある、支持表面アセンブリと
を備える、棚。
（項目５３）
上記第１および第２のフレームの相対的配向は、上記可変支持構築基盤の翼平面形の形
状を変動させるように可変である、項目５２に記載の棚。
（項目５４）
上記可変支持構築基盤の第３の部分を提供する第３のフレームをさらに備え、上記第３
のフレームは、上記第１と第２のフレームとの間に配置され、上記第３のフレームと上記
第１および第２のフレームのそれぞれとの間の相対的位置付けは、上記可変支持構築基盤
の翼平面形を変動させるように可変である、項目５２に記載の棚。
（項目５５）
第３のフレームは、上記第１および第２のフレームのそれぞれと摺動可能に結合される
、項目５４に記載の棚。
（項目５６）
上記第１および第３のフレームの相対的配向は、上記可変支持構築基盤の翼平面形の形
状を変動させるように可変であり、上記第２および第３のフレームの相対的配向は、上記
可変支持構築基盤の翼平面形の形状を変動させるように可変である、項目５５に記載の
棚。
（項目５７）
上記第１および第２のフレームのそれぞれは、上記第３のフレームの一部を受容するス
ロットを有し、上記第１、第２、および第３のフレームのそれぞれは、上記支持表面アセ
ンブリと界面接触する上側表面を有し、上記第１、第２、および第３のフレームの上側表
面は、同一平面にある、項目５６に記載の棚。
（項目５８）
上記第１および第２のフレームのそれぞれは、楕円形の半分の翼平面形形状を有し、前
記第３のフレームは、楕円形の翼平面形形状を有する、項目５７に記載の棚。
（項目５９）
上記第３のフレームは、伸長開口を含み、上記伸長開口は、上記第１のフレームと結合
され、上記第１のフレームスロットを横断して延在する、第１の結合ピンを受容し、上記
伸長開口はさらに、上記第２のフレームと結合され、上記第２のフレームスロットを横断
して延在する、第２の結合ピンを受容する、項目５７に記載の棚。
（項目６０）
上記第１のフレームおよび上記第２のフレームのそれぞれは、上記端部分の一端におい
て支持体に取着するように適応された端部分を含む、項目５７に記載の棚。
（項目６１）
上記支持表面アセンブリは、複数の相互接続された垂直に配向された可撓性パネルを備
える、項目５２に記載の棚。
（項目６２）
上記可撓性パネルは、ポリカーボネートを備える、項目６１に記載の棚。
（項目６３）
上記支持表面アセンブリは、複数の結合された水平に配向されたパネルを備え、上記水
平に配向されたパネルのそれぞれは、上記水平に配向されたパネルの隣接するパネルを結
合する接続ピンを受容する１つ以上のスロットを有する、項目５２に記載の棚。
（項目６４）
可変翼平面形を有する棚材料システムであって、上記棚材料システムは、
項目５７に記載の第１の棚と、
項目５７に記載の第２の棚であって、上記第２の棚は、上記第１の棚の上方に高架さ
れる、第２の棚と、
上記第１および第２の棚の上記第１のフレームを支持する少なくとも１つの第１の支持
柱と、
上記第１および第２の棚の上記第２のフレームを支持する少なくとも１つの第２の支持
柱と
を備える、棚材料システム。
（項目６５）
基部をさらに備え、上記基部は、
項目５７に記載の棚を含む上側部分と、
項目５７に記載の棚を含む下側部分と、
上記上側および下側部分の上記第１のフレームのそれぞれに取着された少なくとも１つ
の第１の柱部材と、
上記上側および下側部分の上記第２のフレームのそれぞれに取着された少なくとも１つ
の第２の柱部材と、
複数の第３の柱部材であって、上記柱部材のそれぞれは、上記上側および下側部分の前
記第３のフレームに取着される、第３の柱部材と
を含む、項目６４に記載の棚材料システム。
（項目６６）
上記基部に取着された蹴板アセンブリをさらに備え、上記蹴板アセンブリは、
上記上側および下側部分の上記第１のフレームのうちの少なくとも１つに取着された第
１の蹴板部材と、
上記上側および下側部分の上記第２のフレームのうちの少なくとも１つに取着された第
２の蹴板部材と、
上記上側および下側部分の上記第３のフレームのうちの少なくとも１つに取着された第
３の蹴板部材であって、上記第１、第２、または第３の蹴板部材のうちの少なくとも１つ
は、上記基部の複数の翼平面形構成のための上記第１、第２、または第３の蹴板部材の隣
接する１つに重複する、延在パネルを含む、第３の蹴板部材と
を含む、項目６５に記載の棚材料システム。
（項目６７）
上記第１および第２の棚のうちの少なくとも１つに取着された少なくとも１つの価格表
示アセンブリをさらに備え、上記価格表示アセンブリは、
上記第１のフレームに取着され、価格タグを表示するように構成される、第１の価格表
示区画と、
上記第２のフレームに取着され、価格タグを表示するように構成される、第２の価格表
示区画と、
上記第１および第２の価格表示区画のうちの少なくとも１つと摺動可能に結合された第
３の価格表示区画であって、上記第３の価格表示区画は、可撓性であり、価格タグを表示
するように構成される、第３の価格表示区画と
を含む、項目６４に記載の棚材料システム。
（項目６８）
可変翼平面形を有する台であって、上記台は、
可変支持構築基盤の第１の部分を形成する第１の上側フレームと、
上記可変支持構築基盤の第２の部分を形成する第２の上側フレームと、
上記可変支持構築基盤の第３の部分を形成する第３の上側フレームであって、上記第３
の上側フレームは、上記第１と第２の上側フレームとの間に配置され、上記第３の上側フ
レームと上記第１および第２の上側フレームのそれぞれとの間の相対的位置付けおよび配
向は、上記可変支持構築基盤の翼平面形を変動させるように可変である、第３の上側フレ
ームと、
上記台によって支持されたアイテムのための支持表面を提供する支持表面アセンブリで
あって、上記支持表面アセンブリは、上記可変支持構築基盤によって支持され、上記提供
された支持表面が上記可変支持構築基盤の翼平面形の変動に応答して変動するように、可
撓性であること、または複数の連結されたパネルを備えることのうちの少なくとも１つで
ある、支持表面アセンブリと、
上記可変支持構築基盤の下方に配置されている可変基部の一部を形成する第１の基部フ
レームと、
上記可変基部の一部を形成する第２の基部フレームと、
上記可変基部の一部を形成する第３の基部フレームであって、上記第３の基部フレーム
は、上記第１と第２の基部フレームとの間に配置され、上記第３の基部フレームと上記第
１および第２の基部フレームのそれぞれとの間の相対的位置付けおよび配向は、上記可変
基部の上記翼平面形を変動させるように可変である、第３の基部フレームと、
上記可変基部と上記可変支持構築基盤との間に配置され、上記可変基部および上記可変
支持構築基盤に取着される、複数の中間部材と
を備える、台。
（項目６９）
上記中間部材は、
複数の第１の中間部材であって、各第１の中間部材は、上記第１の上側フレームおよび
上記第１の基部フレームに取着される、第１の中間部材と、
複数の第２の中間部材であって、各第２の中間部材は、上記第２の上側フレームおよび
上記第２の基部フレームに取着される、第２の中間部材と、
複数の第３の中間部材であって、各第３の中間部材は、上記第３の上側フレームおよび
上記第３の基部フレームに取着される、第３の中間部材と
を備える、項目６８に記載の台。
（項目７０）
上記支持表面は、複数の相互接続された垂直に配向された可撓性パネルを備える、請求
項６８に記載の台。
（項目７１）
上記支持表面アセンブリは、複数の結合された水平に配向されたパネルを備え、上記水
平に配向されたパネルのそれぞれは、上記水平に配向されたパネルの隣接するパネルを結
合する結合ピンを受容する１つ以上のスロットを有する、項目６８に記載の台。